(57)【特許請求の範囲】
【請求項１】
複数の機能モジュールと、前記複数の機能モジュールの各々が、機械的かつ電気的に接続される基台と、を備える照明器具であって、
前記複数の機能モジュールは、前記基台に対して着脱自在に取り付けられ、かつ前記基台に取り付けられた状態で前記照明器具の外郭を形成し、
前記基台は、前記複数の機能モジュールに給電する給電部と、前記照明器具の動作を制御する制御部と、を有し、
前記複数の機能モジュールは、前記基台の前記給電部から供給される電力によって動作するセンサを有すると共に、前記センサによる検出信号を、前記基台の前記制御部に伝える機能を有する第１の機能モジュールを含み、
前記基台の前記制御部が、前記第１の機能モジュールの前記センサからの検出信号に基づいて、前記第１の機能モジュール以外の、他の機能モジュールにおける光源の動作を制御する照明器具。
【請求項２】
請求項１に記載の照明器具であって、
前記第１の機能モジュールの前記センサは、煙、ガス、熱のいずれかを検出し、前記基台の前記制御部は、前記センサからの検出信号に基づいて異常を検知し、前記照明器具の発光状態を変化させて前記異常を報知する照明器具。
【請求項３】
請求項１に記載の照明器具であって、
前記第１の機能モジュールの前記センサは、赤外線、電波、音波、照度のいずれかを検出し、前記基台の前記制御部は、前記センサからの検出信号に基づいて、前記照明器具の発光状態を制御し、または、前記照明器具の初期照度の補正を行う照明器具。
【発明の詳細な説明】
【技術分野】
【０００１】
本発明は、天井面に直接設置されてシーリングライト等に適用される照明器具に関する。
【背景技術】
【０００２】
従来より、基板裏面と熱伝導部材とを押圧しながら給電端子に接続されるうちの少なくとも１つのコネクタと、コネクタを介してＬＥＤに電気的に接続される点灯回路とを備える照明器具が知られている（例えば、特許文献１参照）。
特許文献１は、ＬＥＤ基板の裏面が熱伝導部材に押し付けられることにより、コネクタがＬＥＤを着脱可能に固定する。
また、従来より、取付面に取り付けられる基体と、対をなすランプソケットを個々に設ける一対のソケット部と、これらソケット部を基体に着脱自在に連結する連結部とを備える照明器具が知られている（例えば、特許文献２参照）。
【先行技術文献】
【特許文献】
【０００３】
【特許文献１】特許第３９８９７９４号公報（図３、請求項１）
【特許文献２】特開平０４―２９８９０５号公報（図１、段落００１２）
【発明の概要】
【発明が解決しようとする課題】
【０００４】
特許文献１は、密度化、放熱性、光利用効率を図れる。
しかし、特許文献１は、コネクタにより、ＬＥＤを有するＬＥＤ基板を単純に着脱可能にしたものであるために、複数のＬＥＤ基板を組み合わせたとしても、照明の機能に加えて複数の他の機能を有さない。
特許文献２は、基体と一対のソケット部と連結部とを分割できるので、これらをユニット化することにより、組立作業性を向上できる。
しかし、特許文献２は、一対のソケット部を基体から分割できるものの、ソケット部を使用した照明の機能に加えて複数の他の機能を有さない。
【０００５】
本発明は、前述した課題を解決するためになされたものであり、その目的は、機能モジュールを任意に着脱自在とすることにより照明の機能に加えて複数の機能を任意に装備できる照明器具を提供することにある。
【課題を解決するための手段】
【０００６】
本発明に係る照明器具は、複数の機能モジュールと、前記複数の機能モジュールの各々が、機械的かつ電気的に接続される基台と、を備える照明器具であって、前記複数の機能モジュールは、前記基台に対して着脱自在に取り付けられ、かつ前記基台に取り付けられた状態で前記照明器具の外郭を形成し、前記基台は、前記複数の機能モジュールに給電する給電部と、前記照明器具の動作を制御する制御部と、を有し、前記複数の機能モジュールは、前記基台の前記給電部から供給される電力によって動作するセンサを有すると共に、前記センサによる検出信号を、前記基台の前記制御部に伝える機能を有する第１の機能モジュールを含み、前記基台の前記制御部が、前記第１の機能モジュールの前記センサからの検出信号に基づいて、前記第１の機能モジュール以外の、他の機能モジュールにおける光源の動作を制御する。
【０００７】
本発明に係る照明器具は、前記第１の機能モジュールの前記センサは、煙、ガス、熱のいずれかを検出し、前記基台の前記制御部は、前記センサからの検出信号に基づいて異常を検知し、前記照明器具の発光状態を変化させて前記異常を報知する。
【０００８】
本発明に係る照明器具は、前記第１の機能モジュールの前記センサは、赤外線、電波、音波、照度のいずれかを検出し、前記基台の前記制御部は、前記センサからの検出信号に基づいて、前記照明器具の発光状態を制御し、または、前記照明器具の初期照度の補正を行う。
【発明の効果】
【０００９】
本発明に係る照明器具によれば、機能モジュールを任意に着脱自在とすることにより照明の機能に加えて複数の機能を任意に装備できるという効果を奏する。
【図面の簡単な説明】
【００１０】
【図１】本発明に係る第１実施形態の照明器具の斜め上方から視た外観斜視図
【図２】本発明に係る第１実施形態の照明器具の斜め上方から視た分解斜視図
【図３】本発明に係る第１実施形態の照明器具の機能モジュールの一部破断外観斜視図
【図４】本発明に係る第１実施形態の照明器具における機能モジュールの組付手順の第１段階を説明する平面図
【図５】本発明に係る第１実施形態の照明器具における機能モジュールの組付手順の第２段階を説明する平面図
【図６】本発明に係る第１実施形態の照明器具における機能モジュールの組付手順の第３段階を説明する平面図
【図７】本発明に係る第１実施形態の照明器具における機能モジュールの変形例の外観斜視図
【図８】本発明に係る第１実施形態の照明器具における機能モジュールの変形例の垂直断面図
【図９】本発明に係る第１実施形態の照明器具における機能モジュールの他の変形例の外観斜視図
【図１０】本発明に係る第１実施形態の照明器具における機能モジュールの他の変形例の垂直断面図
【図１１】本発明に係る第１実施形態の照明器具における機能モジュールの他の変形例の外観斜視図
【図１２】本発明に係る第１実施形態の照明器具における機能モジュールの他の変形例の垂直断面図
【図１３】本発明に係る第１実施形態の照明器具における機能モジュールの他の変形例の外観斜視図
【図１４】本発明に係る第１実施形態の照明器具における機能モジュールの他の変形例の垂直断面図
【図１５】本発明に係る第２実施形態の照明器具の回路ブロック図
【図１６】本発明に係る第３実施形態の照明器具の回路ブロック図
【図１７】本発明に係る第４実施形態の照明器具の回路ブロック図
【図１８】本発明に係る第５実施形態の照明器具の斜め上方から視た外観斜視図
【図１９】本発明に係る第６実施形態の照明器具の斜め上方から視た外観斜視図
【図２０】本発明に係る第７実施形態の照明器具の斜め上方から視た外観斜視図
【図２１】本発明に係る第８実施形態の照明器具の斜め上方から視た外観斜視図
【図２２】本発明に係る第９実施形態の照明器具の平面図
【図２３】本発明に係る第１０実施形態の照明器具の斜め上方から視た外観斜視図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、基台１１と、第１機能モジュール１２と、第２機能モジュール１３と、第３機能モジュール１４と、第４機能モジュール１５とから構成される。
照明器具１０は、第１機能モジュール１２と、第２機能モジュール１３と、第３機能モジュール１４と、第４機能モジュール１５とにより基台１１を囲むように四角形の外郭が形成され、不図示の天井面に直接設置されてシーリングライトに適用される。
【００１２】
基台１１は、略十字形状の外観を有し、幅寸法Ｌ１を有する天板１６の中央部に取付アダプタ１７を有する。取付アダプタ１７は、天井面に設置される引掛シーリング（図２参照）１９に機械的および電気的に接続される。
基台１１は、内部に点灯回路（図２参照）１８を収容する。点灯回路１８は、取付アダプタ１７に電気的に接続されるとともに、光源であるＬＥＤユニット（図２参照）２０に有するＬＥＤ基板（図２参照）２１の不図示のプリント回路に電気的に接続される。
【００１３】
点灯回路１８は、給電部であり、取付アダプタ１７から商用のＡＣ電源が入力され、基台１１自身や機能モジュール１２，１３，１４，１５に電源を供給する。
点灯回路１８は、例えば、ＡＣ／ＤＣコンバータであったり、ＡＣ／ＡＣコンバータであったりし、機能モジュール１２，１３，１４，１５に応じて、色々な形態を有する。
【００１４】
点灯回路１８は、光源がＬＥＤユニット２０の場合、ＡＣ電源を整流した後に、降圧チョッパ回路を有する構成であってもよく、あるいは、入力電流歪を改善する場合であれば、昇圧チョッパ回路と降圧チョッパ回路との組み合わせであってもよい。
また、使用される回路は、絶縁、非絶縁のいずれでもよいが、安全上においては、絶縁型であることが望ましい。
さらに、電源は、商用のＡＣ電源に限らず、例えばＤＣ電源であってもよい。ＤＣ電源の場合、太陽光発電から得られるために、電源を効率良く利用できる。
【００１５】
基台１１は、十字形状の隣り合う一対の面の間に、４個であってそれぞれ同一形状に形成された、第１機能モジュール取付部２２と、第２機能モジュール取付部２３と、第３機能モジュール取付部２４と、第４機能モジュール取付部２５とを有する。
基台１１は、第１機能モジュール取付部２２に第１機能モジュール１２が、第２機能モジュール取付部２３に第２機能モジュール１３がそれぞれ取り付けられる。
そして、基台１１は、第３機能モジュール取付部２４に第３機能モジュール１４が、第４機能モジュール取付部２５に第４機能モジュール１５がそれぞれ取り付けられる。
これにより、第１機能モジュール１２，第２機能モジュール１３，第３機能モジュール１４，第４機能モジュール１５が基台１１と同一面を形成する。
【００１６】
図２に示すように、基台１１は、第１機能モジュール取付部２２の一方の面に接続端子２６を有し、第１機能モジュール取付部２２の他方の面に被取付手段２７を有する。
基台１１は、第２機能モジュール取付部２３の一方の面に被取付手段２８を有し、第２機能モジュール取付部２３の他方の面に接続端子２９を有する。
基台１１は、第３機能モジュール取付部２４の一方の面に被取付手段３０を有し、第３機能モジュール取付部２４の他方の面に接続端子３１を有する。
基台１１は、第４機能モジュール取付部２５の一方の面に接続端子３２を有し、第４機能モジュール取付部２５の他方の面に被取付手段３３を有する。
【００１７】
接続端子２６と接続端子２９と接続端子３１と接続端子３２とは、ストレート装着式のコネクタであって、点灯回路１８に電気的に接続される。
これとは異なり、被取付手段２７と被取付手段２８と被取付手段３０と被取付手段３３とは、スライド式のロックである。
【００１８】
次に、第１機能モジュール１２と、第２機能モジュール１３と、第３機能モジュール１４と、第４機能モジュール１５とについて説明する。
第１機能モジュール１２と、第２機能モジュール１３と、第３機能モジュール１４と、第４機能モジュール１５とは、いずれも同一の構造を有し、基台１１と同一の厚み寸法を有する。
第１機能モジュール１２は、第１機能モジュール取付部２２に相当する四角形の板形状に形成されており、第１機能モジュール取付部２２側の一方の面に接続端子受３４を有し、第１機能モジュール取付部２２側の他方の面に取付手段３５を有する。
第１機能モジュール１２は、基台１１の第１機能モジュール取付部２２に取り付けられることにより、接続端子受３４が接続端子２６に電気的に接続され、取付手段３５が被取付手段２７に機械的に接続される。
【００１９】
第２機能モジュール１３は、第２機能モジュール取付部２３に相当する四角形の板形状に形成されており、第２機能モジュール取付部２３側の一方の面に取付手段３６を有し、第２機能モジュール取付部２３側の他方の面に接続端子受３７を有する。
第２機能モジュール１３は、基台１１の第２機能モジュール取付部２３に取り付けられることにより、取付手段３６が被取付手段２８に機械的に接続され、接続端子受３７が接続端子２９に電気的に接続される。
【００２０】
第３機能モジュール１４は、第３機能モジュール取付部２４に相当する四角形の板形状に形成されており、第３機能モジュール取付部２４側の一方の面に取付手段３８を有し、第３機能モジュール取付部２４側の他方の面に接続端子受３９を有する。
第３機能モジュール１４は、基台１１の第３機能モジュール取付部２４に取り付けられることにより、取付手段３８が被取付手段３０に機械的に接続され、接続端子受３９が接続端子３１に電気的に接続される。
【００２１】
第４機能モジュール１５は、第４機能モジュール取付部２５に相当する四角形の板形状に形成されており、第４機能モジュール取付部２５側の一方の面に取付手段４０を有し、第４機能モジュール取付部２５側の他方の面に接続端子受４１を有する。
第４機能モジュール１５は、基台１１の第４機能モジュール取付部２５に取り付けられることにより、取付手段４０が被取付手段３３に機械的に接続され、接続端子受４１が接続端子３２に電気的に接続される。
【００２２】
そして、第４機能モジュール１５は、下面にＬＥＤユニット２０が取り付けられる。ＬＥＤユニット２０は、ＬＥＤ基板２１の下面に複数のＬＥＤ４２が封止され、ＬＥＤ４２の前面に透過性を有するカバー４３が取り付けられる。
ＬＥＤ基板２１のプリント回路は、接続端子受４１に電気的に接続される。
なお、ＬＥＤユニット２０は、第１機能モジュール１２，第２機能モジュール１３，第３機能モジュール１４の下面にも取り付けられる。
【００２３】
次に、第１機能モジュール１２，第２機能モジュール１３，第３機能モジュール１４，第４機能モジュール１５の基台１１への取付手順について、第４機能モジュール１５を代表して説明する。
図３に示すように、取付手段４０（取付手段３５，取付手段３６，取付手段３８）は、被取付手段３３（被取付手段２７，被取付手段２８，被取付手段３０）に機械的に接続されるスライド式のロック受である。
【００２４】
取付手段４０は、被取付手段３３に設定されるロックストローク寸法（図４参照）Ｌ２内においてスライド可能な長さ寸法Ｌ３を有する。
接続端子受４１（接続端子受３４，接続端子受３７，接続端子受３９）は、接続端子３２（接続端子２６，接続端子２９，接続端子３１）に電気的に接続されるストレート装着式のコネクタ受である。
【００２５】
図４に示すように、第４機能モジュール１５の基台１１への取り付けにあたり、取付手段４０を先にして、第４機能モジュール１５が基台１１の第４機能モジュール取付部２５に向けて進行される。
このとき、第４機能モジュール１５は、第４機能モジュール取付部２５に対して、接続端子受４１が接続端子３２から離れた位置に配置される。
【００２６】
図５に示すように、第４機能モジュール１５の取付手段４０が被取付手段３３に挿入されることにより、第４機能モジュール１５は、接続端子受４１が接続端子３２から離れた状態で、一方の面が第４機能モジュール取付部２５の一方の面に当接する。
【００２７】
図６に示すように、次に、第４機能モジュール１５が、一方の面を第４機能モジュール取付部２５の一方の面に摺接させながら、他方の面を第４機能モジュール取付部２５の他方の面に向けて進行される。
これにより、被取付手段３３に設定されるロックストローク寸法Ｌ２内において、取付手段４０が被取付手段３３に対してスライド移動されることにより機械的に接続され、接続端子受４１が接続端子３２に電気的に接続される。
【００２８】
このように、第４機能モジュール１５は、取付手段４０が被取付手段３３に機械的に接続され、接続端子受４１が接続端子３２に電気的に接続されるために、一か所で取り付けられる場合と比べて、強固な固定構造を取得できる。
【００２９】
次に、機能モジュールの変形例について説明する。
図７および図８に示すように、本変形例の機能モジュール４４は、ＬＥＤ４２の前面に集光レンズ４５を取り付けている。集光レンズ４５は、略半球形状に形成されて頂部にＬＥＤ４２が配置される。
そのため、集光レンズ４５が、ＬＥＤ４２からの光成分を集光させるために、スポット光の配光に制御できる。
このとき、集光レンズ４５により、もともと照射されている部分の照度を部分的に強くしたり、あるいは、機能モジュール４４のみでスポット照射を行ったりすることにより、ユーザーが照射部分を認識しやすくなって、演出効果を、より向上できる。
【００３０】
図９および図１０に示すように、本変形例の機能モジュール４６は、ＬＥＤ基板２１の前面に拡散板４７が取り付けられる。
機能モジュール４６は、例えば基台１１にＬＥＤユニット２０を取り付けた際に、要求する照度に達しない場合に、全体の照度を補充できる。
機能モジュール４６は、拡散板４７により広範囲を照射することができるために、居室の大きさに応じて追加すれば良い。
機能モジュール４６は、単体、あるいは基台１１側からの制御により、調光や調色ができる形態にすることにより、色々な照射パターンを提供できる。
【００３１】
図１１および図１２に示すように、本変形例の機能モジュール４８は、照度センサ４９と、赤外線センサ５０とが取り付けられる。
照度センサ４９は、居室内の照度を電気信号に変換する。赤外線センサ５０は、人を感知した際に電気信号を発生する。
照度センサ４９および赤外線センサ５０は、接続端子受４１に電気的に接続されているために、照度センサ４９が変換した電気信号および赤外線センサ５０が受信した電気信号を、接続端子受４１を通じて接続端子３２に与える。
【００３２】
照度センサ４９は、初期照度補正に利用したり、照度一定制御に利用したりできる。赤外線センサ５０は、人がいるときだけ照明器具１０を動作させるような設定ができる。
なお、照度センサ４９および赤外線センサ５０等のセンサとしては、温度や湿度や電波等をセンシングできるものでよく、それらの出力信号に応じて制御できる。
また、センサ出力を受けて、点灯回路１８に接続される制御回路（図１６参照）５１を制御するだけでなく、例えば、センサ出力を受けた制御回路５１が、別の機能モジュールを制御するようにしてもよい。
そして、照度センサ４９は、フィルタ等を設けることにより色検出できる。
【００３３】
さらに、センサの数は２個に限らず、１個でも良い。あるいは３個以上あっても良い。
このように、照明器具１０は、設置当初に、センサ制御を行えなくても、機能モジュール４８を後付可能な形態であるため、必要に応じたセンシングを適宜行うことにより、利便性を向上できる。
このとき、後付可能でありながらも、全てのセンサにより、基台１１を囲むように四角形の外郭が形成されるために、外観上の違和感がない。
【００３４】
図１３および図１４に示すように、本変形例の機能モジュール５２は、住宅用火災警報器として機能する煙検知警報器５３が取り付けられる。
なお、住宅用火災警報器としては、煙検知警報器５３に代えて、熱検知であってもよく、煙検知機能および熱検知機能を有するものであってもよい。
また、機能モジュール５２は、停電時に動作するように、内部にバッテリー等の補助電力５４を配置する。補助電力５４は、機能モジュール５２内に別途設置される。補助電力５４は、別途設置されることにより、機能モジュール５２を、より薄型化できる。
【００３５】
機能モジュール５２は、独立した警報器を設置する場合に比べて、照射光により、天井面に警報器の影ができないために、天井面を含めたきれいな配光を取得できる。
さらに、基台１１に設けられた取付アダプタ１７から電源を供給することにより、警報器のための電池の消耗を抑制できる。
なお、機能モジュール４４，機能モジュール４６，機能モジュール４８，機能モジュール５２は、スピーカー（図１７参照）５５，それぞれ不図示の液晶パネル，空気清浄機，非常灯や警報器のためのバッテリー，送風ファン，電源等の形態が可能である。
【００３６】
ここで、機能モジュール１２，１３，１４，１５，４４，４６，４８，５２は、機能を有さない形状だけのダミーとすることもできる。
例えば、照明器具１０において、機能的に十分である場合には、ダミー部を設けることにより、器具構成に抜けがない、すっきりとした外観形状にできる。
また、接続端子２６，２９，３１，３２が剥き出しにならないために、安全であり、被取付手段２７，２８，３０，３３が露出しないために、ごみ等の不純物の基台１１内への侵入を抑制できる。
【００３７】
なお、照明器具１０は、光源として、ＬＥＤ４２に代えて、有機ＥＬのような、より薄型の光学素子等を適用してもよい。
特に、透過型の有機ＥＬを装着することにより、普段は透過型として採光に利用し、必要なときだけ光源として使用できるので、省エネ効果を取得できる。
【００３８】
以上、説明した本発明に係る第１実施形態の照明器具１０によれば、取付アダプタ１７からの電源を受けて動作したり、信号のやり取りで制御したりできる。
また、照明器具１０によれば、引掛シーリング１９からの商用電源を利用して、単一の基台１１で複数の種類の機能を有する機能モジュール１２，１３，１４，１５，４４，４６，４８，５２を駆動できる。
【００３９】
そして、照明器具１０によれば、基台１１への設置後においても、ユーザーが必要な機能モジュール１２，１３，１４，１５，４４，４６，４８，５２を任意に取り付けたり、交換したりできる。
さらに、照明器具１０によれば、機能モジュール１２，１３，１４，１５にＬＥＤユニット２０を設けたために、全体の照度を大きくできる。
従って、照明器具１０によれば、機能モジュール１２，１３，１４，１５，４４，４６，４８，５２を任意に着脱自在とすることにより照明の機能に加えて複数の機能を任意に装備できる。
【００４０】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００４１】
図１５に示すように、本発明に係る第２実施形態の照明器具６０は、第１ＬＥＤユニット６２を装備する第１機能モジュール６１と、第２ＬＥＤユニット６４を装備する第２機能モジュール６３とを備える。
また、照明器具６０は、照度センサ４９を装備する第３機能モジュール６５と、煙感知型警報器５３を装備する第４機能モジュール６６とを備える。
【００４２】
点灯回路（電源部）１８は、商用のＡＣ電源を受けて、第１機能モジュール６１，第２機能モジュール６３，第３機能モジュール６５，第４機能モジュール６６に電源を供給するとともに各種信号のやり取りを行う。
【００４３】
基台１１は、接続端子６７，接続端子６８，接続端子６９，接続端子（Ｎ個）Ｎを備えており、接続端子６７において、第１ＬＥＤユニット６２に流れる電流を抵抗Ｒ１によってフィードバックする。
接続端子６８は、第２ＬＥＤユニット６４に流れる電流を抵抗Ｒ２によってフィードバックする。
接続端子６９は、照度センサ４９のセンサ出力をフィードバックし、接続端子Ｎは、煙感知型警報器５３の出力をフィードバックする。
【００４４】
基台１１は、フィードバックされた各種の信号に応じた制御が可能となり、第１ＬＥＤユニット６２や第２ＬＥＤユニット６４の電流を目標値に合致させたり、照度が一定になるようにＬＥＤ出力を制御したりする。
また、基台１１は、煙感知型警報器５３の異常検知信号を受けたときに、第１ＬＥＤユニット６２または第２ＬＥＤユニット６４をフラッシング（点滅）させる等して、ユーザーに報知できる。
【００４５】
第２実施形態の照明器具６０によれば、基台１１に取付けられる第３機能モジュール６５の照度センサ４９からの信号で照明のオン・オフや調光や調色といった照明制御ができる。
また、照明器具６０によれば、センサ信号をフィードバックして、照度を一定にするような制御や、停電時にバッテリーを利用して、照明が点灯を継続するような機能の後付けができる。
そして、照明器具６０によれば、第４機能モジュール６６に煙感知型警報器５３を装備するために、煙（ガス、熱）の異常を検知でき、外部に警報器等を設置する必要がなくなって天井面での見た目をすっきりできる。
【００４６】
さらに、照明器具６０によれば、底面（床面側）の高さが全ての機能モジュール６１，６３，６５，６６において略一定になることにより、照明以外の機能を盛り込みながら、デザイン上においてシンプルに構成できる。
さらにまた、照明器具６０によれば、独立した警報器等を設置する場合に比べて、照射光により、天井面に警報器等の影ができないために、天井面を含めたきれいな配光を取得できる。
加えて、照明器具６０によれば、基台１１に設けられた点灯回路１８から電源を供給するために、内部の警報器等のための電池の消耗を抑制できる。
【００４７】
第２実施形態の照明器具６０によれば、照度センサ４９および煙感知型警報器５３の検知信号によって制御されるために、異常発生時に、音だけでなく、照明のフラッシングなどの視覚的効果を付加でき、ユーザーの異常発生の認知を確実にできる。
また、照明器具６０によれば、照明機能を利用したユーザーへの他の報知方法として、調色することにより、雰囲気を変化させたり、調光を繰り返して、通常点灯とは異なるモードを設定できる。
【００４８】
そして、照明器具６０によれば、第３機能モジュール６５に照度センサ４９を含む赤外線、電波、音波等のセンサ機能を付加できるために、照明のオン・オフや調光や調色をできる。
さらに、照明器具６０によれば、照明のオン・オフや調光や調色に加えて、人感センサや、リモコン受信部や、音声で操作可能な照明器具や、初期照度補正機能を有するものへの展開が後から追加できる。
そして、照明器具６０によれば、機能モジュール６１，６３，６５，６６から基台１１へ、あるいは、基台１１から異なる機能モジュール６１，６３，６５，６６へと信号を伝達することにより、機能モジュール６１，６３，６５，６６間での制御を連動できる。
【００４９】
（第３実施形態）
次に、本発明に係る第３実施形態の照明器具について説明する。
図１６に示すように、本発明に係る第３実施形態の照明器具７０は、ＬＥＤユニット２０を装備する第１機能モジュール７１と、照度センサ４９を装備する第２機能モジュール７２とを備える。
照明器具７０は、点灯回路１８に制御回路５１が接続されており、制御回路５１が照度センサ４９からのセンサ信号を受けて、点灯回路１８を制御する。
【００５０】
（第４実施形態）
次に、本発明に係る第４実施形態の照明器具について説明する。
図１７に示すように、本発明に係る第４実施形態の照明器具８０は、熱感知型警報器８２を装備する第１機能モジュール８１と、ＬＥＤユニット２０を装備する第２機能モジュール８３とを備える。
また、照明器具８０は、スピーカー５５を装備する第３機能モジュール８４を備える。熱感知型警報器８２は、第１制御回路８５に電気的に接続され、スピーカー５５は、第２制御回路８６に電気的に接続される。
【００５１】
照明器具８０は、熱検知型警報器８２の異常検知信号に基づき、点灯回路１８によりＬＥＤ４２を点滅させるとともに、同じ信号を利用してスピーカー５５から異常を知らせる音声を出す。
このとき、熱感知型警報器８２の単体でも音声による警報機能を盛り込ませることができるが、第３機能モジュール８４にスピーカー５５を装備することにより、より遠くまで音声による警報を伝達できる。
【００５２】
（第５実施形態）
次に、本発明に係る第５実施形態の照明器具について説明する。
図１８に示すように、本発明に係る第５実施形態の照明器具９０は、ＬＥＤ４２の前面に集光レンズ４５を取り付けた第１機能モジュール９１と、拡散板４７を装備した第２機能モジュール９２とを備える。
照明器具９０は、第１機能モジュール９１のＬＥＤユニット２０からの光成分が集光されて照射されるために、床面にスポット光の照射範囲Ａ１の配光に制御される。
【００５３】
また、照明器具９０は、第２機能モジュール９２のＬＥＤユニット２０からの光成分が拡散されて照射されるために、床面に拡散光の照射範囲Ａ２の配光に制御される。
このように、照明器具９０は、第１機能モジュール９１と第２機能モジュール９２とを組み合わせて取り付けることにより、ユーザーの好みに応じてスポット照射と拡散照射とを任意に設定できる。
【００５４】
（第６実施形態）
次に、本発明に係る第６実施形態の照明器具について説明する。
図１９に示すように、本発明に係る第６実施形態の照明器具１００は、床面を照射方向とするＬＥＤユニット２０を有する機能モジュール１２と、天井面を照射方向とするＬＥＤユニット２０を有する機能モジュール１０１とを備える。
また、照明器具１００は、天井面を照射方向とするＬＥＤユニット２０を有する機能モジュール１０２と、横方向を照射方向とするＬＥＤユニット２０を有する機能モジュール１０３とを備える。
照明器具１００は、天井面を照らしたり、横方向を照らしたりでき、構成の自由度を向上でき、より演出効果を向上できる。
【００５５】
（第７実施形態）
次に、本発明に係る第７実施形態の照明器具について説明する。
図２０に示すように、本発明に係る第７実施形態の照明器具１１０は、第１実施形態に示した基台１１よりも小さい幅寸法Ｌ４を有する基台１１１を備える。
そして、照明器具１１０は、基台１１１に、第１機能モジュール１２と、第２機能モジュール１３と、第３機能モジュール１４と、第４機能モジュール１５とが取り付けられる。
【００５６】
（第８実施形態）
次に、本発明に係る第８実施形態の照明器具について説明する。
図２１に示すように、本発明に係る第８実施形態の照明器具１２０は、Ｌ字形状の基台１２１に機能モジュール１２２が取り付けられ、基台１２１がスタンド１２３に取り付けられて卓上スタンド照明に適用される。
【００５７】
（第９実施形態）
次に、本発明に係る第９実施形態の照明器具について説明する。
図２２に示すように、本発明に係る第９実施形態の照明器具１３０は、十字形状に形成される基台１３１を備える。
照明器具１３０は、基台１３１の第１機能モジュール取付部２２に円弧形状の外縁を有する第１機能モジュール１３２が取り付けられ、基台１３１の第２機能モジュール取付部２３に円弧形状の外縁を有する第２機能モジュール１３３が取り付けられる。
【００５８】
照明器具１３０は、基台１３１の第３機能モジュール取付部２４に円弧形状の外縁を有する第３機能モジュール１３４が取り付けられ、基台１３１の第４機能モジュール取付部２５に円弧形状の外縁を有する第４機能モジュール１３５が取り付けられる。
これにより、照明器具１３０は、基台１３１，第１機能モジュール１３２，第２機能モジュール１３３，第３機能モジュール１３４，第４機能モジュール１３５により円形の外郭形状に形成される。
【００５９】
（第１０実施形態）
次に、本発明に係る第１０実施形態の照明器具について説明する。
図２３に示すように、本発明に係る第１０実施形態の照明器具１４０は、天井面から吊り下げられる枝形状をなす基台１４１を備える。
そして、照明器具１４０は、基台１４１に、葉形状に形成される複数の機能モジュール１４２が取り付けられる。
【００６０】
機能モジュール１４２は、機械的な保持機構と電気的な接続の両方を兼用できる。機能モジュール１４２は、必要な照度に応じて、個数を適宜調整できる。また、機能モジュール１４２は、照明に限らず、各種センサ等を装備できる。
【００６１】
なお、本発明の照明器具において取付アダプタ，ＬＥＤ基板，ＬＥＤ，ＬＥＤユニット等は、前述した各実施形態に限定されるものでなく、適宜な変形や改良等が可能である。
【符号の説明】
【００６２】
１０，６０，７０，８０，９０，１００，１１０，１２０，１３０，１４０  照明器具
１１，１１１，１２１，１３１，１４１  基台
１２，１３，１４，１５，４４，４６，４８，５２，６１，６３，６５，６６，７１，７２，８１，８３，８４，９１，９２，１０１，１０２，１０３，１２２，１３２，１３３，１３４，１３５，１４２  機能モジュール
１８  点灯回路（給電部）
２０，６２，６４，７２  ＬＥＤユニット（光源）
２６，２９，３１，３２  接続端子
２７，２８，３０，３３  被取付手段
３４，３７，３９，４１  接続端子受
３５，３６，３８，４０  取付手段
【図１】
0005877337.tif 000002
【図２】
0005877337.tif 000003
【図３】
0005877337.tif 000004
【図４】
0005877337.tif 000005
【図５】
0005877337.tif 000006
【図６】
0005877337.tif 000007
【図７】
0005877337.tif 000008
【図８】
0005877337.tif 000009
【図９】
0005877337.tif 000010
【図１０】
0005877337.tif 000011
【図１１】
0005877337.tif 000012
【図１２】
0005877337.tif 000013
【図１３】
0005877337.tif 000014
【図１４】
0005877337.tif 000015
【図１５】
0005877337.tif 000016
【図１６】
0005877337.tif 000017
【図１７】
0005877337.tif 000018
【図１８】
0005877337.tif 000019
【図１９】
0005877337.tif 000020
【図２０】
0005877337.tif 000021
【図２１】
0005877337.tif 000022
【図２２】
0005877337.tif 000023
【図２３】
0005877337.tif 000024